(57)【要約】【課題】文章入力をポインターの移動・クリックの簡単な操作で入力できるようにし、文章入力が大巾に迅速容易に作成。【解決手段】文章を複数の文要素に分け、文要素を文要素同定番号，文章の筆頭か否かの筆頭判別情報，カテゴリー情報，前関連文要素同定番号，同前関連文要素と文要素との関連使用頻度又は筆頭使用頻度，頭文字情報，関連性を属性としてコンピュータに記憶し、文章入力の入力フォームに、複数の文要素を列記する複数の文要素列記表示欄Ｃ６〜Ｃ１０と，頭文字入力欄Ｃ１１，選択された文要素を表示する候補表示欄Ｃ１５，電子文書の選択ボタンＣ１，カテゴリーの選択ボタンＣ４等を設け、頭文字入力欄Ｃ１１で入力した頭文字を有する単語を第１欄にその右欄には前の欄の表示第１位との単語を前関連文要素とするもので使用頻度が高い順に表示する。【選択図】          図１２０
2004227218.tif 000002
【特許請求の範囲】
【請求項１】
コンピュータで作製される電子文書の文書入力領域に文書内容を入力フォームを用いて入力する文章入力方法であって、
書き込む文章を単語・定型文・句・シェーマ・図形・画像又は表グラフの文要素を複数連結して表現する構成とし、文書に使用する各文要素に対し、その文要素の同定番号と文書の筆頭にくる文要素か否かの筆頭判別情報とに加え、その文要素が筆頭にくる文要素の場合は筆頭として使用される筆頭使用頻度情報と文要素の頭文字情報とを、文要素が筆頭にくる文要素でない場合はその文要素の前に置かれて使用される関連文要素の前関連文要素同定番号とその関連文要素を前に置いて使用される関連使用頻度とを、属性として文要素とともにコンピュータの記録媒体に記憶し、
入力フォームには、文要素を複数列記して表示できる複数の文要素列記表示欄と，文章の筆頭にくる文要素の頭文字を入力する頭文字入力欄と，選択された文要素を表示し且つその内容を手入力で修正できる候補表示欄と，作動すると同候補表示欄の各文要素を連結して文章として電子文書の文章入力領域へ入力する入力ボタンとを設け、
前記入力フォームの頭文字入力欄から文書の筆頭にくる文要素の頭文字を入力すると、入力された頭文字を有し且つ筆頭文要素となりうる筆頭判別情報を有する複数の文要素がその筆頭使用頻度情報の高い使用頻度の順に１番目の文要素列記表示欄に列記表示され、その１番目の文要素列記表示欄の順位１番の文要素の文要素同定番号を前関連文要素同定番号とする複数の文要素が２番目の文要素列記表示欄にその関連使用頻度の高い順番の順位で列記表示され、同２番目の文要素列記表示欄の順位１番の文要素の同定番号を前関連文要素同定番号とする複数の文要素が３番目の文要素列記表示欄にその関連使用頻度の高い順番の順位に列記表示され、同様に下位の３，４・・・番目の文要素列記表示欄にも文要素を列記表示し、
ポインターでいずれかの番数の文要素列記表示欄の文要素の中から一つを選択すると、その選択された文要素が順位１番の文要素表示となり、以下その下位の一つ又は複数の文要素列記表示欄の文要素表示が前記同様の手順で一機に変更され、ポインターで次の番数の文要素列記表示欄の文要素を選択するとその下位の一つ又は複数の文要素列記表示欄の表示が前記の手順で一機に変更され、ポインターで文要素列記表示欄の文要素を左から右へ逐次選択して、選択の度にその選択された文要素が候補表示欄に複写されて前の選択された文要素の後に表示されていき、文章が候補表示欄に表示され、ポインターで選択完了後、候補表示欄の文章を手作業で修正して又は修正しないで入力ボタンを押すと候補表示欄の文章が電子文書の文書入力領域に入力されるようにすることを特徴とする電子文書の文書入力方法。
【請求項２】
電子文書の文書入力領域に文書を入力フォームを用いて入力する文章入力方法であって、
書き込む文章を単語・定型文・句・シェーマ・図形・画像又は表グラフの文要素を複数連結して表現する構成とし、文書に使用する各文要素に対し、その文要素の同定番号と文書の筆頭にくる文要素か否かの筆頭判別情報とに加え、その文要素が筆頭にくる文要素の場合は筆頭として使用される筆頭使用頻度情報と文要素の頭文字情報と，この文要素の後に置かれてる使用され関連文要素の後関連文要素番号と，その関連使用頻度とを、文要素が筆頭にくる文要素でない場合はその文要素の後に置かれて使用される後関連文要素の関連文要素同定番号とその後関連文要素を後に置いて使用される関連使用頻度とを、属性として文要素とともにコンピュータの記録媒体に記憶し、
入力フォームには、文要素を複数列記して表示できる複数の文要素列記表示欄と，文章の筆頭にくる文要素の頭文字を入力する頭文字入力欄と，選択された文要素を表示し且つその内容を手入力で修正できる候補表示欄と，作動すると同候補表示欄の各文要素を連結して文章として電子文書の文章入力欄領域へ書き込む入力ボタンとを設け、
前記入力フォームの頭文字入力欄から文書の筆頭にくる文要素の頭文字を入力すると、入力された頭文字を頭文字情報に有し且つ筆頭文要素となりうる筆頭判別情報を有する複数の文要素がその筆頭使用頻度情報の高い使用頻度の順に１番目の文要素列記表示欄に列記表示され、その１番目の文要素列記表示欄の順位１番の文要素が有する後関連文要素同定番号を文要素同定番号とする複数の文要素が２番目の文要素列記表示欄にその関連使用頻度の高い順番の順位で列記表示され、同２番目の文要素列記表示欄の順位１番の文要素が有する後関連文要素同定番号を文要素同定番号とする複数の文要素が３番目の文要素列記表示欄にその関連使用頻度の高い順番の順位に列記表示され、同様に下位の３，４・・・番目の文要素列記表示欄にも文要素を列記表示し、
ポインターでいずれかの番数の文要素列記表示欄の文要素の中から一つを選択すると、その選択された文要素が表示順位１番の文要素となり、以下この選択された文要素の属性に基づいてその下位の一つ又は複数の文要素列記表示欄の文要素表示が前記同様の手順で一機に変更されて表示され、ポインターで次の順番の文要素列記表示欄の文要素を選択するとその下位の文要素列記表示欄の表示が前記の手順で一機に変更され、ポインターで文要素列記表示欄の文要素を左から右へ逐次選択して、選択の度にその選択された文要素が候補表示欄に複写されて前の選択された文要素の後に表示されていき、文章が候補表示欄に表示され、ポインターで選択完了後候補表示欄の文章を手作業で修正して又は修正しないで入力ボタンを押すと候補表示欄の文章が電子文書の文書入力領域に入力されるようにすることを特徴とする電子文書の文書入力方法。
【請求項３】
入力フォームで入力する文章を文章種類・テーマ・分野・日時等のカテゴリーによって分けるカテゴリー選択入力欄を設け、文要素にカテゴリーを属性として記憶し、文要素列記表示欄に表示する文要素をカテゴリー選択入力欄で入力されたカテゴリーに属するものに限定するか、又はその属性を有するものを使用頻度より優先するように表示するようにした請求項１又は２記載の電子文書の文書入力方法。
【請求項４】
入力フォームで入力する文章の内容を表わす特徴的事項・関連項目・文章内関係者・入力者等の補助情報を選択して入力できる補助情報入力欄を設け、各文要素の属性の一つとして文要素と補助情報との相関性の高さの示す相関情報を記憶し、文要素の使用頻度が同じ場合における文要素の文要素列記表示欄への表示順位を相関情報を参照して決定するようにした請求項１〜３何れか記載の電子文書の文書入力方法。
【請求項５】
電子文書が医師の作成する診療録である請求項１〜４いずれか記載の電子文書の文書入力方法。
【請求項６】
電子文書が医師の作成する診療録であって、文章入力領域として所見欄があり、入力フォームに日時・病名・所見・主訴・家族歴・既往歴・診察・処方のカテゴリーを選択する選択ボタンがあり、又入力者の医師・主訴・診療科・患者属性・現病名・過去病名の補助情報を文要素の属性として記憶させそれらを入力する補助情報入力欄を設けた、請求項４記載の電子文書の文書入力方法。
【請求項７】
入力フォームの入力ボタンを押すことによって、電子文書の文章入力領域に入力された文章を医師等作成者のＩＤ番号、患者ＩＤ番号、タイムスタンプとともに入力ログファイルに書き込み保存でき、その文章がシェーマの場合、前記のＩＤ番号とタイムスタンプ、入力されたサムネイルのファイル名と、また入力フォームを使用して外部機器から胃カメラ等の画像を取り込む場合、前記のＩＤ番号とタイムスタンプ、外部機器名、表示希望倍率を入力ログファイルに書き込み保存できるようにした請求項５又は６記載の電子文書の文書入力方法。
【請求項８】
電子文書の作成日が単語等列記表示欄の１番目に、その日に作成された電子文書のページが単語等列記表示欄の２番目に、入力フォームを使用して、電子文書の文章入力領域に入力された日時、病名、所見、診察、処方、注射、検査、画像、処置、手術、麻酔等のカテゴリー名が単語等列記表示欄の３番目に、入力フォームを使用して電子文書の文章入力領域に入力された文章の抜粋が単語等列記表示欄の４番目に表示され、ポインターで２番目の単語等列記表示欄のページの中から一つを選択すると選択されたページが表示され、入力内容の履歴の閲覧と電子文書の所望のページでの文章入力作業を開始するまでの時間の短縮を可能にする機能を有する請求項５〜７いずれか記載の電子文章入力方法。
【発明の詳細な説明】
【０００１】
【発明の属する技術分野】
本発明は、コンピュータを用いて文書の内容・表現を記憶媒体に記録してその表示・印刷・内容の検索が自在に行える電子文書を、迅速で容易に入力可能とする文章入力方法に関し、特に医療における診療記録・電子カルテ・議事録・日報・出張記録・作業記録・売買記録等の如くある程度定型化された文章構造を有し、特定の文要素・専門文要素を用いる文章の入力方法として有用な技術である。
【０００２】
【従来の技術】
従来、医師が作成するカルテは、医師がカルテ用紙に、医師名，患者名，日時を特定し、診療録として、日時・病名・所見・診察・処方・注射・検査・画像・処置・手術・麻酔等の項目（カテゴリー）に分けて記述する。又各項目は更に細目の項目として、主訴・診療科・患者情報・現病名・過去病名等に分けて文章でもって記述するようになっている。この医師のカルテ記述作業は、手書きか又はワープロを用いてキーボードから入力される。カルテの文章はある程度定型化されるものであるが、専門文要素を多く使用することもあって、手間のかかるものとなっていた。又、多忙な医師が直接作成しなくてはならず、その入力作業は医師の負担となるものであった。
一方、ワープロによる電子文書としての電子カルテの文章作成は、キーボードを用いての文要素逐次入力であるため、手間どるものであった。ワープロに学習機能・文要素登録・定型文章登録機能があっても、電子カルテ入力には不充分であって、やはり手間どるものであった。
【０００３】
【発明が解決しようとする課題】
本発明が解決しようとする課題は、従来のこれらの問題点を解消し、文章の入力をポインターの移動・クリックの簡単な操作で入力できるようにし、文章入力が大巾に迅速容易に作成できる電子文書の文章入力方法を提供することにある。
【０００４】
【課題を解決するための手段】
かかる課題を解決した本発明の構成は、
１）  コンピュータで作製される電子文書の文書入力領域に文書内容を入力フォームを用いて入力する文章入力方法であって、
書き込む文章を単語・定型文・句・シェーマ・図形・画像又は表グラフの文要素を複数連結して表現する構成とし、文書に使用する各文要素に対し、その文要素の同定番号と文書の筆頭にくる文要素か否かの筆頭判別情報とに加え、その文要素が筆頭にくる文要素の場合は筆頭として使用される筆頭使用頻度情報と文要素の頭文字情報とを、文要素が筆頭にくる文要素でない場合はその文要素の前に置かれて使用される関連文要素の前関連文要素同定番号とその関連文要素を前に置いて使用される関連使用頻度とを、属性として文要素とともにコンピュータの記録媒体に記憶し、
入力フォームには、文要素を複数列記して表示できる複数の文要素列記表示欄と，文章の筆頭にくる文要素の頭文字を入力する頭文字入力欄と，選択された文要素を表示し且つその内容を手入力で修正できる候補表示欄と，作動すると同候補表示欄の各文要素を連結して文章として電子文書の文章入力領域へ入力する入力ボタンとを設け、
前記入力フォームの頭文字入力欄から文書の筆頭にくる文要素の頭文字を入力すると、入力された頭文字を有し且つ筆頭文要素となりうる筆頭判別情報を有する複数の文要素がその筆頭使用頻度情報の高い使用頻度の順に１番目の文要素列記表示欄に列記表示され、その１番目の文要素列記表示欄の順位１番の文要素の文要素同定番号を前関連文要素同定番号とする複数の文要素が２番目の文要素列記表示欄にその関連使用頻度の高い順番の順位で列記表示され、同２番目の文要素列記表示欄の順位１番の文要素の同定番号を前関連文要素同定番号とする複数の文要素が３番目の文要素列記表示欄にその関連使用頻度の高い順番の順位に列記表示され、同様に下位の３，４・・・番目の文要素列記表示欄にも文要素を列記表示し、
ポインターでいずれかの番数の文要素列記表示欄の文要素の中から一つを選択すると、その選択された文要素が順位１番の文要素表示となり、以下その下位の一つ又は複数の文要素列記表示欄の文要素表示が前記同様の手順で一機に変更され、ポインターで次の番数の文要素列記表示欄の文要素を選択するとその下位の一つ又は複数の文要素列記表示欄の表示が前記の手順で一機に変更され、ポインターで文要素列記表示欄の文要素を左から右へ逐次選択して、選択の度にその選択された文要素が候補表示欄に複写されて前の選択された文要素の後に表示されていき、文章が候補表示欄に表示され、ポインターで選択完了後、候補表示欄の文章を手作業で修正して又は修正しないで入力ボタンを押すと候補表示欄の文章が電子文書の文書入力領域に入力されるようにすることを特徴とする電子文書の文書入力方法
２）  電子文書の文書入力領域に文書を入力フォームを用いて入力する文章入力方法であって、
書き込む文章を単語・定型文・句・シェーマ・図形・画像又は表グラフの文要素を複数連結して表現する構成とし、文書に使用する各文要素に対し、その文要素の同定番号と文書の筆頭にくる文要素か否かの筆頭判別情報とに加え、その文要素が筆頭にくる文要素の場合は筆頭として使用される筆頭使用頻度情報と文要素の頭文字情報と，この文要素の後に置かれてる使用され関連文要素の後関連文要素番号と，その関連使用頻度とを、文要素が筆頭にくる文要素でない場合はその文要素の後に置かれて使用される後関連文要素の関連文要素同定番号とその後関連文要素を後に置いて使用される関連使用頻度とを、属性として文要素とともにコンピュータの記録媒体に記憶し、
入力フォームには、文要素を複数列記して表示できる複数の文要素列記表示欄と，文章の筆頭にくる文要素の頭文字を入力する頭文字入力欄と，選択された文要素を表示し且つその内容を手入力で修正できる候補表示欄と，作動すると同候補表示欄の各文要素を連結して文章として電子文書の文章入力欄領域へ書き込む入力ボタンとを設け、
前記入力フォームの頭文字入力欄から文書の筆頭にくる文要素の頭文字を入力すると、入力された頭文字を頭文字情報に有し且つ筆頭文要素となりうる筆頭判別情報を有する複数の文要素がその筆頭使用頻度情報の高い使用頻度の順に１番目の文要素列記表示欄に列記表示され、その１番目の文要素列記表示欄の順位１番の文要素が有する後関連文要素同定番号を文要素同定番号とする複数の文要素が２番目の文要素列記表示欄にその関連使用頻度の高い順番の順位で列記表示され、同２番目の文要素列記表示欄の順位１番の文要素が有する後関連文要素同定番号を文要素同定番号とする複数の文要素が３番目の文要素列記表示欄にその関連使用頻度の高い順番の順位に列記表示され、同様に下位の３，４・・・番目の文要素列記表示欄にも文要素を列記表示し、
ポインターでいずれかの番数の文要素列記表示欄の文要素の中から一つを選択すると、その選択された文要素が表示順位１番の文要素となり、以下この選択された文要素の属性に基づいてその下位の一つ又は複数の文要素列記表示欄の文要素表示が前記同様の手順で一機に変更されて表示され、ポインターで次の順番の文要素列記表示欄の文要素を選択するとその下位の文要素列記表示欄の表示が前記の手順で一機に変更され、ポインターで文要素列記表示欄の文要素を左から右へ逐次選択して、選択の度にその選択された文要素が候補表示欄に複写されて前の選択された文要素の後に表示されていき、文章が候補表示欄に表示され、ポインターで選択完了後候補表示欄の文章を手作業で修正して又は修正しないで入力ボタンを押すと候補表示欄の文章が電子文書の文書入力領域に入力されるようにすることを特徴とする電子文書の文書入力方法
３）  入力フォームで入力する文章を文章種類・テーマ・分野・日時等のカテゴリーによって分けるカテゴリー選択入力欄を設け、文要素にカテゴリーを属性として記憶し、文要素列記表示欄に表示する文要素をカテゴリー選択入力欄で入力されたカテゴリーに属するものに限定するか、又はその属性を有するものを使用頻度より優先するように表示するようにした前記１）又は２）記載の電子文書の文書入力方法
４）  入力フォームで入力する文章の内容を表わす特徴的事項・関連項目・文章内関係者・入力者等の補助情報を選択して入力できる補助情報入力欄を設け、各文要素の属性の一つとして文要素と補助情報との相関性の高さの示す相関情報を記憶し、文要素の使用頻度が同じ場合における文要素の文要素列記表示欄への表示順位を相関情報を参照して決定するようにした前記１）〜３）何れか記載の電子文書の文書入力方法
５）  電子文書が医師の作成する診療録である前記１）〜４）いずれか記載の電子文書の文書入力方法
６）  電子文書が医師の作成する診療録であって、文章入力領域として所見欄があり、入力フォームに日時・病名・所見・主訴・家族歴・既往歴・診察・処方のカテゴリーを選択する選択ボタンがあり、又入力者の医師・主訴・診療科・患者属性・現病名・過去病名の補助情報を文要素の属性として記憶させそれらを入力する補助情報入力欄を設けた、前記４）記載の電子文書の文書入力方法
７）  入力フォームの入力ボタンを押すことによって、電子文書の文章入力領域に入力された文章を医師等作成者のＩＤ番号、患者ＩＤ番号、タイムスタンプとともに入力ログファイルに書き込み保存でき、その文章がシェーマの場合、前記のＩＤ番号とタイムスタンプ、入力されたサムネイルのファイル名と、また入力フォームを使用して外部機器から胃カメラ等の画像を取り込む場合、前記のＩＤ番号とタイムスタンプ、外部機器名、表示希望倍率を入力ログファイルに書き込み保存できるようにした前記５）又は６）記載の電子文書の文書入力方法
８）  電子文書の作成日が単語等列記表示欄の１番目に、その日に作成された電子文書のページが単語等列記表示欄の２番目に、入力フォームを使用して、電子文書の文章入力領域に入力された日時、病名、所見、診察、処方、注射、検査、画像、処置、手術、麻酔等のカテゴリー名が単語等列記表示欄の３番目に、入力フォームを使用して電子文書の文章入力領域に入力された文章の抜粋が単語等列記表示欄の４番目に表示され、ポインターで２番目の単語等列記表示欄のページの中から一つを選択すると選択されたページが表示され、入力内容の履歴の閲覧と電子文書の所望のページでの文章入力作業を開始するまでの時間の短縮を可能にする機能を有する前記５）〜７）いずれか記載の電子文章入力方法
にある。
【０００５】
【発明の実施の形態】
本発明の文書とは、文字による文ばかりでなく、完全な文体となっていない文・句・文要素列，画像・定型文・画像・シェーマ・図形・表の組合せ、及び文要素単体を含むものである。
本発明は、各文要素には、前又は後に置かれて使用される関連文要素（前関連文要素，後関連文要素）の同定番号（前関連文要素同定番号，後関連文要素同定番号）とその関連して使用する使用頻度の情報又はカテゴリー情報を属性として有している。文要素の前後の関連使用の関連性の情報の記憶は、後の文要素がその属性として前の関連文要素の文要素番号（文要素の同定番号，同定情報）の情報を有するようにして記憶する場合と、前の文要素がその属性として後の関連文要素の文要素番号の情報を有するようにして記憶する場合とがある。あるいは関連性の情報だけを分離して記憶することもでき、これらは同等であり、本発明に包含されるものである。
文書の筆頭になる文要素が、筆頭でない文章途中・終わりにも使用される場合は、一つの文要素に筆頭にくることを示す筆頭判断情報と、それ以外の位置で使われることを示す筆頭判断情報とを両方含ませて、一つの文要素が両方にも使用できるようにすることができるようにできる。あるいは同じ単語等の同じ内容の文要素を筆頭にくる文要素としてのものと、筆頭にくることがない文要素として二重に別の文要素として文要素登録させることもできる。
文要素列記表示欄の表示順位は、筆頭使用頻度，関連使用頻度の高さによるが、その使用頻度に文書のカテゴリーが選択されたときは、カテゴリーに限定して表示するか又はカテゴリー情報を使用頻度情報より優先して表示する。カテゴリー情報は上下の階層又は大きい項目，細目に分けることもできる。
又、接尾語「を，に，が，は，の」等，接頭語「あの，この，これらの，あれらの」，動詞の活用が違う文要素又はこれらがない文要素とは、別の文要素として登録してもよいし、登録せず候補表示欄で手作業で接尾語，接頭語，活用語尾変化文字を追加・修正することもできる。
本発明の入力方法に必要なハード構成は、通常のワープロのハード構成、ワープロソフトを有するパソコンのハード構成でよく、図１１８に示すように、通常、ＣＰＵ，ＲＡＭ，ＲＯＭ，ハードディスク，ＦＤドライブ，ＨＤドライブ，キーボード，ディスプレイ，ポインターとしてのマウスを使用する。
本発明のポインターとしては、マウスのポインター，ライトペンによるポインター，指圧によるポインター，ロールポインター等が使用できる。
本発明の文要素の「頭文字」とは、単語の場合はその筆頭の文字を、それ以外の文要素は文要素を呼び出す名前・ファイル名・サムネイル等の頭文字となる。
【０００６】
【実施例】
以下、本発明の実施例を図面に基づいて説明する。
本実施例は、医師が作成する「日々の診療録」の文書を電子文書として、及び患者情報と頭書所見を「頭書」の電子文書として作成する際の文章入力方法として使用した例である。この「日々の診療録」には、「日時」，「病名」，「所見」，「診療」，「処方」，「注射」，「検査」，「画像」，「処置」，「手術」，「麻酔」のカテゴリー項目毎に文章・画像が日々の診療録の所見欄，指示欄（オーダー）に時系列に従って入力されるものであり、その電子文書の最終状態を図６０に示している。上記項目のカテゴリーは更に「入力者」，「主訴」，「診療科」，「患者属性（性，年令）」，「現病名」，「過去病名」の細項目のカテゴリーに分かれている。又、「頭書」の電子文書には、患者ＩＤ，氏名，生年月日，住所の患者情報の他に、病名、開始、終了、転帰の記述欄、頭書所見欄に時系列で病名、生年月日所見が入力され、その最終状態を図５４に示す。本実施例の入力フォームは選択入力画面として示されている。
本実施例は、病院における本実施例の方法の電子文書管理システムでの患者の受付，診療録の検索，頭書の検索からの使用について説明し、それから診療録の書き込み，頭書の書き込みについて具体的に説明する。
【０００７】
図１は、受付画面の説明図である。
図２は、診療録検索画面の説明図である。
図３は、診療録検索画面での患者ＩＤによる頭書検索の説明図である。
図４は、診療録検索画面での氏名、生年月日による頭書検索の説明図である。図５は、診療録検索画面での患者ＩＤによる頭書検索の結果表示の説明図である。
図６は、診療録検索画面での日々の診療録の検索処理の説明図である。
図７は、診療録検索画面での頭書の検索処理の説明図である。
図８は、日々の診療録画面の表示の説明図である。
図９は、選択入力画面の表示の説明図である。
図１０は、選択入力画面での診察開始日時入力の説明図である。
図１１は、選択入力画面での所見項目の表示の説明図である。
図１２は、日々の診療録画面所見欄への「主訴」の入力と表示の説明図である。
図１３は、選択入力画面でのローマ字読み入力の説明図である。
図１４は、選択入力画面での文要素等の表示の説明図である。
図１５は、選択入力画面でのドラッグによる文要素等の選択１の説明図である。
図１６は、選択入力画面でのドラッグによる文要素等の選択２の説明図である。
図１７は、選択入力画面でのドラッグによる文要素等の選択３の説明図である。
図１８は、日々の診療録所見欄への所見文の入力と表示の説明図である。
図１９は、日々の診療録所見欄で行あふれが生じた場合の処理の説明図である。
図２０は、選択入力画面でのドラッグによるシェーマ画像の選択１の説明図である。
図２１は、選択入力画面でのドラッグによるシェーマ画像の選択２の説明図である。
図２２は、選択入力画面でのドラッグによるシェーマ画像の選択３の説明図である。
図２３は、日々の診療録へのシェーマ画像の入力と表示の説明図である。
図２４は、選択入力画面での胃カメラ等の画像の外部機器からの取込み、保存、表示１の説明図である。
図２５は、選択入力画面での胃カメラ等の画像の外部機器からの取込み、保存、表示２の説明図である。
図２６は、選択入力画面での胃カメラ等の画像の外部機器からの取込み、保存、表示３の説明図である。
図２７は、日々の診療録所見欄への胃カメラ画像のサムネイルの入力と表示の説明図である。
図２８は、日々の診療録所見欄での表示希望倍率による胃カメラ画像サムネイルの画像表示の説明図である。
図２９は、選択入力画面での処方項目の表示の説明図である。
図３０は、日々の診療録指示欄への「内服」の入力と表示の説明図である。
図３１は、選択入力画面での処方薬剤入力の説明図である。
図３２は、日々の診療録指示欄への処方薬剤の入力と表示の説明図である。
図３３は、日々の診療録指示欄で行あふれが生じた場合の処理の説明図である。
図３４は、選択入力画面での診察終了日時の表示の説明図である。
図３５は、日々の診療録への診察終了日時の入力と表示の説明図である。
図３６は、選択入力画面での修正印の入力の説明図である。
図３７は、日々の診療録でのクリックによる修正箇所位置指定の説明図である。
図３８は、日々の診療録への修正印の入力と表示の説明図である。
図３９は、日々の診療録への修正文の入力と表示の説明図である。
図４０は、日々の診療録での確定処理の説明図である。
図４１は、選択入力画面での頭書画面の表示の説明図である。
図４２は、頭書画面での病名の修正・修正箇所の指定の説明図である。
図４３は、頭書画面での病名の修正・修正印の入力と表示の説明図である。
図４４は、頭書画面での病名の修正・病名の選択の説明図である。
図４５は、頭書病名欄への病名の修正・病名の入力と表示の説明図である。
図４６は、頭書病名欄で行あふれが生じた場合の処理の説明図である。
図４７は、選択入力画面での病名選択の説明図である。
図４８は、頭書病名欄への病名の入力と表示の説明図である。
図４９は、選択入力画面での所見項目の表示の説明図である。
図５０は、選択入力画面での「家族歴」の選択の説明図である。
図５１は、日々の診療録への「家族歴」の入力と表示の説明図である。
図５２は、選択入力画面での所見入力の説明図である。
図５３は、選択入力画面での診察終了日時の表示の説明図である。
図５４は、頭書画面への診察終了日時の入力と表示の説明図である。
図５５は、頭書所見欄で行あふれが生じた場合の処理の説明図である。
図５６は、頭書所見欄での確定処理の説明図である。
図５７は、選択入力画面での頭書の作成日、ページ番号とページ毎の記載内容の表示の説明図である。
図５８は、選択入力画面での所望の頭書画面の表示の説明図である。
図５９は、選択入力画面での日々の診療録の作成日、ページ番号とページ毎の記載内容の表示の説明図である。
図６０は、選択入力画面からの所望の日々の診療録画面の表示の説明図である。
図６１〜１１７は、実施例のソフトの処理フロー図である。
図１１８は、本実施例のハード説明図である。
図１１９は、本実施例のソフト構成説明図である。
図１２０は、本実施例の電子文書「日々の診療録」とその入力フォームである選択入力画面との入力関係を示す説明図である。
図１２１は、本実施例の電子文書「頭書」とその入力フォームである選択入力画面との入力関係を示す説明図である。
図１２２は、実施例の文要素登録を示す説明図である。
図１２３は、本実施例の文要素の登録状態と文要素列記表示欄への表示順位を決める手順を示す説明図である。
【０００８】
図中、Ａは電子文書である日々の診療録、Ａ１は文書入力欄である所見欄、Ａ２は文書入力欄である指示欄（オーダー）、Ａ３は所見欄見出し、Ａ４は指示欄見出し、Ａ５は文書名見出し、Ａ６は確定ボタン、Ｓ１，Ｓ２，Ｓ３，Ｓ４・・・は書き込まれる文書、Ｗ１，Ｗ２，Ｗ３，Ｗ４・・・は文書Ｓ１，Ｓ２・・・を構成する文要素、Ｂは電子文書である頭書文書、Ｂ１は「頭書」の見出し、Ｂ２は文書入力欄である頭書所見欄、Ｂ３は入力される病名欄、Ｂ４は入力される開始年月日欄、Ｂ５は入力される終了年月日欄、Ｂ６は入力される転記欄である。Ｃは日々の診療録Ａと頭書Ｂとの入力フォームである選択入力画面、Ｃ１は作成する電子文書の選択ボタン、Ｃ２は入力ボタンであって、候補表示欄Ｃ１５に入力された文要素が連結されて電子文書の文書入力欄の所見欄Ａ１，指示欄Ａ２，又は頭書所見欄Ｂ２に入力される。Ｃ３は修正の選択ボタン、Ｃ４は文書のカテゴリーの選択ボタン、Ｃ５はカテゴリーの詳細選択チェックボタン、Ｃ６，Ｃ７，Ｃ８，Ｃ９，Ｃ１０は文要素列記表示欄、Ｃ６Ａは予備文要素列記表示欄、Ｃ１１は頭文字をローマ字で入力する頭文字入力欄、Ｃ１２はローマ字選択ボタン、Ｃ１３は医師ＩＤ入力欄、Ｃ１４は患者ＩＤ入力欄、Ｃ１５は候補表示欄である。１はＣＰＵ、２はＲＡＭ、３はＲＯＭ、４はＨＤドライブ、５はキーボード、６はポインターのマウス、７はディスプレイ、８は通信インターフェース、９はプリンター、１０はＣＤ−Ｒ／ＲＷドライバーである。
【０００９】
この実施例における文要素の属性の表現と、各文要素列記表示欄の文要素の表示順位についてその原理を説明する。入力フォームの「選択入力画面」Ｃと電子文書「日々の診療録」Ａ及び電子文書「頭書」Ｂの文章の対応を図１２０，１２１に示している。又コンピュータのＨＤドライブに記憶されている文要素の記憶構造を図１２３に示している。
文要素の記憶は、データベースＤＢの二つのテーブル１，２によってなされる。テーブル１はＦｉｅｌｄ１に文要素同定番号を，Ｆｉｅｌｄ２に前関連文要素同定番号又は筆頭文要素のときは「○○○○○○○○」の数値として筆頭判別上方を，Ｆｉｅｌｄ３にカテゴリーを示すカテゴリー認識番号（例えば「主訴」は００３）を，Ｆｉｅｌｄ４に使用頻度（関連使用頻度又は筆頭使用頻度）を，Ｆｉｅｌｄ５に筆頭文要素のときの頭文字上方を，Ｆｉｅｌｄ６に文要素を記憶させている。テーブル２は、Ｆｉｅｌｄ１に文要素同定番号を，Ｆｉｅｌｄ２には補助上方の入力者との相関の強さを示す相関情報である相関１を，Ｆｉｅｌｄ３に補助情報の主訴との相関の強さを示す相関情報である相関２を，Ｆｉｅｌｄ４に補助情報である対診療科との相関の強さを示す相関情報である相関３を，Ｆｉｅｌｄ５に補助情報患者属性との相関の強さを示す相関情報である相関４を，Ｆｉｅｌｄ６に補助情報である現病名との相関の強さを示す相関情報である相関５を，Ｆｉｅｌｄ７に補助情報の過去病名との相関の強さを示す相関情報である相関６を記憶している。そして、テーブル１とテーブル２は、Ｆｉｅｌｄ１の文要素同定番号でリンクできるようになっている。この例では文要素（同定番号）は単語（同定番号，番号）となっている。
【００１０】
文要素列記表示欄Ｃ６〜Ｃ１０の関連表示は、簡略に説明すれば、まず、文要素が文章の筆頭にくるものを選ぶ。これはテーブル１のＦｉｅｌｄ２で「○○○○○○○○」の０数値を有するものを検索にすることでなされる。次にその中でカテゴリーの選択ボタンＣ４で選択されたカテゴリーと同じカテゴリーを有するものをＦｉｅｌｄ３（例えば「主訴」の場合はカテゴリーの数値は００３）から選んで文要素「数週間前から」，「数日前から」，「数時間前から」を絞り込む。更にそのカテゴリーの中でＦｉｅｌｄ４の使用頻度を高い順番に文要素列記表示欄Ｃ６に表示する。使用頻度が同じ場合は、テーブル２を用いて相関１，相関２，相関３，相関４，相関５，相関６の順で比較して高いものを上位に表示する。文要素列記表示欄Ｃ６の使用頻度（筆頭使用頻度，関連使用頻度）１位の表示第１位の文要素「数日前から」の文要素番号「００１５３０」を前関連文要素番号として同じ「００１５３０」を有する文要素をテーブル１のＦｉｅｌｄ２から検索する。同じ「００１５３０」を有する文要素が複数ある場合はＦｉｅｌｄ４の使用頻度「００００４０」，「００００３０」，「００００２０」の関連使用頻度の順位で文要素「頭が」，「胃が」，「胸が」の文要素を文要素列記表示欄Ｃ７に表示する。以下、同様に前の文要素列記表示欄の第１位表示の文要素との関連使用で下位の文要素列記表示欄の表示順位の文要素を決めて、表示していく。
【００１１】
この実施例の「日々の診療録」の文書名の電子文書の文章入力の手順について要約して説明する。
入力フォームによる入力手順の要約のフローを図１２３に示している。
図８に示す「日々の診療録」の電子文書を入力するときは、まず、同図の「日々の診療録」を開く、そしてこの時入力フォームである図９の選択入力画面も同時に開く。開くと、医師ＩＤ「６５２１」，患者ＩＤ「３６７４」を入力し、「診療開始日時」，「２００２．１１．２１．１５．３０．５５」が自動的に候補文要素表示欄に入力され、入力ボタンＣ２を押すことで入力が確定し、電子文書の所見欄にこれが入力される。次に、その文書のカテゴリーの「所見」の選択ボタンＣ４を押すと自動的にカテゴリー「主訴」「現病歴」等が補助文要素列記表示欄Ｃ６Ａに表示され、この欄から更に詳細な文書種類のカテゴリーの詳細選択ボタンＣ５の「主訴」を選択する。
【００１２】
次に、頭文字入力欄Ｃ１１に、入力したい文要素の頭文字をローマ字で入力すると、３番目の文要素列記表示欄Ｃ７（第２欄目）に、その頭文字の発音（例えば「ＳＵ」，「ス」）を有するＦｉｅｌｄ５の文要素が同じカテゴリー「主訴」００３を有する中でＦｉｅｌｄ４のその筆頭使用頻度の表示順位で「数日前から」文要素同定番号００１５３０，「数週間前から」文要素同定番号００２０３５，「数時間前から」文要素同定番号００１７０１が表示される。又同時に第３番目の文要素列記欄Ｃ７にはその表示１位の「数日前から」文要素同定番号００１５３０をＦｉｅｌｄ２の前関連文要素同定番号とする文要素中でＦｉｅｌｄ４の関連使用頻度の高い順位でその文要素「頭が」，「胃が」，「胸が」・・・が表示される。第４番目（第３欄目）の文要素列記欄Ｃ８には第２番目の文要素列記欄Ｃ７の表示順位１番の「頭が」の文要素同定番号０００７１５をＦｉｅｌｄ２の前関連文要素同定番号とする文要素の中でＦｉｅｌｄ４の関連使用頻度が高い順で、文要素「痛い」文要素同定番号００８２１，「ひどく痛い」文要素同定番号０００３２１，「むかむかする」文要素同定番号０００９２１が表示される（図１２３参照）。尚、筆頭使用頻度、前関連文要素の使用頻度が同じ場合は、文要素のテーブル２の相関情報で、対入者との相関，次に対主訴との相関，対診療科との相関，対患者属性との相関，対現病名との相関，対過去病名との相関の強さを順に検索し、強いものを上位に表示する。
次に文要素連記表示欄に表示された文要素をマウス６のポインターを左から右に動かしながら各文要素列記表示欄Ｃ６，Ｃ７，Ｃ８の文要素を選択する。「数週間前から」が選択されると、これを表示第１位の文要素の文要素同定番号００２０３５「数週間前から」とする関連する文要素が下位の文要素列記表示欄に前記同様に表示される。「胃が」，「胸が」の文要素が第３欄の文要素列記表示欄Ｃ７に表示される。同様に下位の表示も変更される。選択された各文要素は上方の候補文要素表示欄Ｃ１５に入力され候補文要素表示欄Ｃ１５の各文要素が修正必要なら修正し、その欄にポインターを移動して修正する。修正が必要がなければ（図１２３の例では修正必要なしの例）選択入力画面の上方にある入力ボタンＣ２を押下げることで、各文要素列記表示欄の文要素が左から右への順番で連結され、一つの文章として電子文書の「日々の診療録」の「所見欄」の文章入力欄Ａ１に入力され、表示される（図１２０，１８参照）。
入力フォームの入力ボタンを押すことによって、電子文書の文章入力領域に入力された文章を医師等作成者のＩＤ番号、患者ＩＤ番号、タイムスタンプとともに入力ログファイルに書き込み保存でき、その文章がシェーマの場合、前記のＩＤ番号とタイムスタンプ、入力されたサムネイルのファイル名を、また入力フォームを使用して外部機器から胃カメラ等の画像を取り込む場合、前記のＩＤ番号とタイムスタンプ、外部機器名、表示希望倍率を入力ログファイルに書き込み保存できるようにした。この保存は訂正加入削除できない状態で記録される。
【００１３】
同様に「日々の診療録」の「所見欄」に「画像」を入力する場合の例では、前記同様に「画像」の選択ボタンＣ４を押下げると、画像種類，撮影部位，シェーマ画像ファイルのフォルダ，画像のサムネイル，画像倍率に分けられていて、使用頻度（筆頭使用頻度，関連使用頻度）の高い順の表示順位で文要素が各文要素列記表示欄に表示される。
医師は、第１番目の文要素列記表示欄の表示文要素「シェーマ」をポインターで選択すると、２番目の文要素列記表示欄に「シェーマ」との関係で使用頻度の高い順位で撮影部位を示す文要素「腹部」，「側頭部」，「胸部」等が表示される（図２０，２１参照）。
次に、「腹部」を選択すると、第３番目の文要素列記表示欄は、２番目の文要素列記表示欄の選択された「腹部」との関係で使用頻度の高い順にフォルダ名「腹部１」，「腹部２」が表示される。又同時に第４，５欄にもサムネイル，表示希望倍率が使用頻度の高い順に表示される（図２０，２１，２２，２３参照）。この表示された第３，４，５欄の文要素列記表示欄の文要素をマウスのポインターをドラッグして選択する。「日々の診療録」の所見欄の入力個所を指定する（図２３参照）。画像を目視で確認した後選択入力画面で「入力」ボタンを押下げる。これによって選択された画像のシェーマ画像のサムネイルが「日々の診療録」の所見欄の指定の位置に入力されて表示される（図２３参照）。
【００１４】
このように、実施例では電子文書の「日々の診療録」の所見の欄の項目に文章入力される。同様に他の項目の「処方」，「注射」，「検査」，「処置」，「手術」，「麻酔」等のカテゴリーを選択しながら、選択入力され、所見欄，指示欄の文章入力欄に入力されていくものである。
【００１５】
以下、実施例をフローチャートと画面を用いて更に詳細に説明する。
実施例のソフトは、Ａ：定義済み入出力処理ルーチン，Ｂ：外来等の受付項目の選択と終了処理ルーチン，Ｃ：患者の頭書と日々の診療録の検索処理ルーチン，Ｄ：再受診時の日々の診療録における各種入出力処理ルーチン，Ｅ：既存頭書における各種入出力処理ルーチン，Ｆ：新規頭書画面における各種入出力処理ルーチン，Ｇ：新規の日々の診療録画面における各種入出力処理ルーチンに分かれている。各ルーチンは更に下記の通りの細かいサブルーチンに分かれている。各ルーチンのサブルーチンの処理フロー図を図面に示している。処理フロー図中の図番号は図面番号を示している。
【００１６】
Ａ  定義済み入出力処理ルーチン
参照図面
ａ  選択入力画面から所見欄への診察開始日時入力処理・・図６１〜６３
ｂ  選択入力画面から所見欄への所見文入力処理・・図６１〜６５
ｃ  選択入力画面から所見欄への診察終了日時入力処理・・図６６〜６９
ｄ  頭書又は日々の診療録での修正印による修正処理・・図６６〜６８
ｅ  選択入力画面から所見欄へのシェーマの入力処理・・図７０〜７３
ｆ  日々の診療録の所見欄での胃カメラ等の画像の外部機器からの取り込み、保存、そしてサムネイル表示処理・・図７４〜７６
ｇ  日々の診療録の所見欄での胃カメラ等の画像のサムネイルからの画像表示処理・・図７７〜７９
ｈ  選択入力画面から指示欄への処方、処置、手術等指示の入力処理・・図８０〜８４
ｉ  選択入力画面での医師ＩＤ、患者ＩＤの入力処理・・図８５
ｊ  選択入力画面から頭書病歴欄への病名入力処理・・図８６〜８９
ｋ  頭書又は日々の診療録での確定処理・・図９０
ｌ  再受診時又は新規の日々の診療録での他ページ又は頭書への移動と日々の診療録の終了処理・・図９１
ｍ  既存又は新規の頭書での他ページ又は日々の診療録への移動と頭書の終了処理・・図９２
Ｂ  外来等の受付項目の選択と終了処理ルーチン
Ｂ０１  外来等の受付項目の選択処理・・図９３
Ｂ０２  受付画面の終了処理・・図９３
Ｃ  患者の頭書と日々の診療録の検索処理ルーチン
Ｃ０１  患者の頭書の検索処理・・図９４
Ｃ０２  日々の診療録の検索処理・・図９５
Ｃ０３  患者の頭書と日々の診療録の検索処理の終了処理・・図９６
Ｄ  再受診時の日々の診療録における各種入出力処理ルーチン
Ｄ０１  日々の診療録の所見欄への診察開始日時入力処理・・図９６
Ｄ０２  日々の診療録の所見欄への所見文入力処理・・図９７
Ｄ０３  日々の診療録の所見欄へのシェーマ入力処理・・図９７
Ｄ０４  日々の診療録の所見欄での胃カメラ等の画像の外部機器からの取込み、保存、そしてサムネイル表示処理・・図９８
Ｄ０５  日々の診療録の所見欄での胃カメラ等の画像のサムネイルからの画像表示処理・・図９９
Ｄ０６  日々の診療録の指示欄への処方、処置、手術等指示の入力処理・・図１００
Ｄ０７  日々の診療録の修正処理・・図１００
Ｄ０８  日々の診療録の所見欄への診察終了日時入力処理・・図１０１
Ｄ０９  日々の診療録の確定処理・・図１０１
Ｄ１０  日々の診療録での他ページ又は頭書への移動と日々の診療録の終了処理・・図１０２
Ｅ  既存頭書画面における各種入出力処理ルーチン
Ｅ０１  既存の頭書の氏名、生年月日、性別、住所の変更、修正処理・・図１０３
Ｅ０２  既存頭書の所見欄への診察開始日時入力処理・・図１０３
Ｅ０３  既存頭書の病名欄への病名入力処理・・図１０４
Ｅ０４  既存頭書の所見欄への所見文入力処理・・図１０４
Ｅ０５  既存頭書の修正処理・・図１０４
Ｅ０６  既存頭書の所見欄への診察終了日時入力処理・・図１０５
Ｅ０７  既存頭書の確定処理・・図１０６
Ｅ０８  既存頭書での他ページ又は日々の診療録への移動と既存頭書の終了処理・・図１０６
Ｆ  新規頭書画面における各種入出力処理ルーチン
Ｆ０１  新規頭書の作成処理・図１０７
Ｆ０２  新規頭書の性別、住所の入力処理・・図１０７
Ｆ０３  新規頭書の所見欄への診察開始日時入力処理・・図１０７
Ｆ０４  新規頭書の病名欄への病名入力・・図１０８
Ｆ０５  新規頭書の所見欄への所見文入力処理・・図１０８
Ｆ０６  新規頭書の修正処理・・図１０９
Ｆ０７  新規頭書の所見欄への診察終了日時入力処理・・図１０９
Ｆ０８  新規頭書の確定処理・・図１１０
Ｆ０９  新規頭書での他ページ又は日々の診療録画面への移動と新規頭書の終了処理・・図１１０
Ｇ  新規の日々の診療録画面における各種入出力処理ルーチン
Ｇ０１  新規の日々の診療録の作成処理・・図１０１
Ｇ０２  新規の日々の診療録の所見欄への診察開始日時入力処理・・図１０１
Ｇ０３  新規の日々の診療録の所見欄への所見文入力処理・・図１０１
Ｇ０４  新規の日々の診療録の所見欄へのシェーマ入力処理・・図１０２
Ｇ０５  新規の日々の診療録の所見欄での胃カメラ等の画像の外部機器からの取込み、保存、そしてサムネイル表示処理・・図１０３
Ｇ０６  新規の日々の診療録の所見欄での胃カメラ等の画像のサムネイルからの画像表示処理・・図１０４
Ｇ０７  新規の日々の診療録の指示欄への処方、処置、手術等指示の入力処理・・図１０５
Ｇ０８  新規の日々の診療録の修正処理・・図１０５
Ｇ０９  新規の日々の診療録の所見欄への診察終了日時入力処理・・図１０６
Ｇ１０  新規の日々の診療録の確定処理・・図１０６
Ｇ１１  新規の日々の診療録での他ページ又は頭書への移動と新規の日々の診療録の終了処理・・図１０７
【００１７】
【発明の効果】
以上の様に、本発明によれば、文章の文要素を関連使用の高い順番で複数の文要素列記表示欄に表示順位をもって列記させることによって、電子文書の文書の入力を、逐次文要素毎のキーボードからの入力によらず、入力フォームの入力画面でのポインターを用いての連続的な選択入力によって文章が迅速且つ容易に入力でき、文章入力の手間時間が大巾に軽減できるものとした。
【図面の簡単な説明】
【図１】受付画面の説明図である。
【図２】診療録検索画面の説明図である。
【図３】診療録検索画面での患者ＩＤによる頭書検索の説明図である。
【図４】診療録検索画面での氏名、生年月日による頭書検索の説明図である。
【図５】診療録検索画面での患者ＩＤによる頭書検索の結果表示の説明図である。
【図６】診療録検索画面での日々の診療録の検索処理の説明図である。
【図７】診療録検索画面での頭書の検索処理の説明図である。
【図８】日々の診療録画面の表示の説明図である。
【図９】選択入力画面の表示の説明図である。
【図１０】選択入力画面での診察開始日時入力の説明図である。
【図１１】選択入力画面での所見項目の表示の説明図である。
【図１２】日々の診療録画面所見欄への「主訴」の入力と表示の説明図である。
【図１３】選択入力画面でのローマ字読み入力の説明図である。
【図１４】選択入力画面での文要素等の表示の説明図である。
【図１５】選択入力画面でのドラッグによる文要素等の選択１の説明図である。
【図１６】選択入力画面でのドラッグによる文要素等の選択２の説明図である。
【図１７】選択入力画面でのドラッグによる文要素等の選択３の説明図である。
【図１８】日々の診療録所見欄への所見文の入力と表示の説明図である。
【図１９】日々の診療録所見欄で行あふれが生じた場合の処理の説明図である。
【図２０】選択入力画面でのドラッグによるシェーマ画像の選択１の説明図である。
【図２１】選択入力画面でのドラッグによるシェーマ画像の選択２の説明図である。
【図２２】選択入力画面でのドラッグによるシェーマ画像の選択３の説明図である。
【図２３】日々の診療録へのシェーマ画像の入力と表示の説明図である。
【図２４】選択入力画面での胃カメラ等の画像の外部機器からの取込み、保存、表示１の説明図である。
【図２５】選択入力画面での胃カメラ等の画像の外部機器からの取込み、保存、表示２の説明図である。
【図２６】選択入力画面での胃カメラ等の画像の外部機器からの取込み、保存、表示３の説明図である。
【図２７】日々の診療録所見欄への胃カメラ画像のサムネイルの入力と表示の説明図である。
【図２８】日々の診療録所見欄での表示希望倍率による胃カメラ画像サムネイルの画像表示の説明図である。
【図２９】選択入力画面での処方項目の表示の説明図である。
【図３０】日々の診療録指示欄への「内服」の入力と表示の説明図である。
【図３１】選択入力画面での処方薬剤入力の説明図である。
【図３２】日々の診療録指示欄への処方薬剤の入力と表示の説明図である。
【図３３】日々の診療録指示欄で行あふれが生じた場合の処理の説明図である。
【図３４】選択入力画面での診察終了日時の表示の説明図である。
【図３５】日々の診療録への診察終了日時の入力と表示の説明図である。
【図３６】選択入力画面での修正印の入力の説明図である。
【図３７】日々の診療録でのクリックによる修正箇所位置指定の説明図である。
【図３８】日々の診療録への修正印の入力と表示の説明図である。
【図３９】日々の診療録への修正文の入力と表示の説明図である。
【図４０】日々の診療録での確定処理の説明図である。
【図４１】選択入力画面での頭書画面の表示の説明図である。
【図４２】頭書画面での病名の修正・修正箇所の指定の説明図である。
【図４３】頭書画面での病名の修正・修正印の入力と表示の説明図である。
【図４４】頭書画面での病名の修正・病名の選択の説明図である。
【図４５】頭書病名欄への病名の修正・病名の入力と表示の説明図である。
【図４６】頭書病名欄で行あふれが生じた場合の処理の説明図である。
【図４７】選択入力画面での病名選択の説明図である。
【図４８】頭書病名欄への病名の入力と表示の説明図である。
【図４９】選択入力画面での所見項目の表示の説明図である。
【図５０】選択入力画面での「家族歴」の選択の説明図である。
【図５１】日々の診療録への「家族歴」の入力と表示の説明図である。
【図５２】選択入力画面での所見入力の説明図である。
【図５３】選択入力画面での診察終了日時の表示の説明図である。
【図５４】頭書画面への診察終了日時の入力と表示の説明図である。
【図５５】頭書所見欄で行あふれが生じた場合の処理の説明図である。
【図５６】頭書所見欄での確定処理の説明図である。
【図５７】選択入力画面での頭書の作成日、ページ番号とページ毎の記載内容の表示の説明図である。
【図５８】選択入力画面での所望の頭書画面の表示の説明図である。
【図５９】選択入力画面での日々の診療録の作成日、ページ番号とページ毎の記載内容の表示の説明図である。
【図６０】選択入力画面からの所望の日々の診療録画面の表示の説明図である。
【図６１】実施例のソフトの処理フロー図である。
【図６２】実施例のソフトの処理フロー図である。
【図６３】実施例のソフトの処理フロー図である。
【図６４】実施例のソフトの処理フロー図である。
【図６５】実施例のソフトの処理フロー図である。
【図６６】実施例のソフトの処理フロー図である。
【図６７】実施例のソフトの処理フロー図である。
【図６８】実施例のソフトの処理フロー図である。
【図６９】実施例のソフトの処理フロー図である。
【図７０】実施例のソフトの処理フロー図である。
【図７１】実施例のソフトの処理フロー図である。
【図７２】実施例のソフトの処理フロー図である。
【図７３】実施例のソフトの処理フロー図である。
【図７４】実施例のソフトの処理フロー図である。
【図７５】実施例のソフトの処理フロー図である。
【図７６】実施例のソフトの処理フロー図である。
【図７７】実施例のソフトの処理フロー図である。
【図７８】実施例のソフトの処理フロー図である。
【図７９】実施例のソフトの処理フロー図である。
【図８０】実施例のソフトの処理フロー図である。
【図８１】実施例のソフトの処理フロー図である。
【図８２】実施例のソフトの処理フロー図である。
【図８３】実施例のソフトの処理フロー図である。
【図８４】実施例のソフトの処理フロー図である。
【図８５】実施例のソフトの処理フロー図である。
【図８６】実施例のソフトの処理フロー図である。
【図８７】実施例のソフトの処理フロー図である。
【図８８】実施例のソフトの処理フロー図である。
【図８９】実施例のソフトの処理フロー図である。
【図９０】実施例のソフトの処理フロー図である。
【図９１】実施例のソフトの処理フロー図である。
【図９２】実施例のソフトの処理フロー図である。
【図９３】実施例のソフトの処理フロー図である。
【図９４】実施例のソフトの処理フロー図である。
【図９５】実施例のソフトの処理フロー図である。
【図９６】実施例のソフトの処理フロー図である。
【図９７】実施例のソフトの処理フロー図である。
【図９８】実施例のソフトの処理フロー図である。
【図９９】実施例のソフトの処理フロー図である。
【図１００】実施例のソフトの処理フロー図である。
【図１０１】実施例のソフトの処理フロー図である。
【図１０２】実施例のソフトの処理フロー図である。
【図１０３】実施例のソフトの処理フロー図である。
【図１０４】実施例のソフトの処理フロー図である。
【図１０５】実施例のソフトの処理フロー図である。
【図１０６】実施例のソフトの処理フロー図である。
【図１０７】実施例のソフトの処理フロー図である。
【図１０８】実施例のソフトの処理フロー図である。
【図１０９】実施例のソフトの処理フロー図である。
【図１１０】実施例のソフトの処理フロー図である。
【図１１１】実施例のソフトの処理フロー図である。
【図１１２】実施例のソフトの処理フロー図である。
【図１１３】実施例のソフトの処理フロー図である。
【図１１４】実施例のソフトの処理フロー図である。
【図１１５】実施例のソフトの処理フロー図である。
【図１１６】実施例のソフトの処理フロー図である。
【図１１７】実施例のソフトの処理フロー図である。
【図１１８】本実施例のハード説明図である。
【図１１９】本実施例のソフト構成説明図である。
【図１２０】本実施例の電子文書「日々の診療録」とその入力フォームである選択入力画面との入力関係を示す説明図である。
【図１２１】本実施例の電子文書「頭書」とその入力フォームである選択入力画面との入力関係を示す説明図である。
【図１２２】実施例の文要素登録を示す説明図である。
【図１２３】本実施例の文要素の登録状態と文要素列記表示欄への表示順位を決める手順を示す説明図である。
【符号の説明】
１  ＣＰＵ
２  ＲＡＭ
３  ＲＯＭ
４  ＨＤドライブ
５  キーボード
６  マウス
７  ディスプレイ
８  通信インターフェース
９  プリンター
１０  ＣＤ−Ｒ／ＲＷドライバー
Ａ  日々の診療録
Ａ１  所見欄
Ａ２  指示欄（オーダー）
Ａ３  所見欄見出し
Ａ４  指示欄見出し
Ａ５  文書名見出し
Ｂ  頭書文書
Ｂ１  頭書見出し
Ｂ２  頭書所見欄
Ｂ３  病名欄
Ｂ４  開始年月日欄
Ｂ５  終了年月日欄
Ｂ６  転帰欄
Ｃ  選択入力画面
Ｃ１  選択ボタン
Ｃ２  入力確定ボタン
Ｃ３  修正選択ボタン
Ｃ４  カテゴリー選択ボタン
Ｃ５  カテゴリー詳細選択欄
Ｃ６，Ｃ７，Ｃ８，Ｃ９，Ｃ１０  文要素列記表示欄
Ｃ１１  頭文字入力欄
Ｃ１２  ローマ字選択ボタン
Ｃ１３  医師ＩＤ入力欄
Ｃ１４  患者ＩＤ入力欄
Ｃ１５  候補表示欄
Ｓ１，Ｓ２，Ｓ３，Ｓ４・・・文書
Ｗ１，Ｗ２，Ｗ３，Ｗ４・・・文要素
【図１】
2004227218.tif 000003
【図２】
2004227218.tif 000004
【図３】
2004227218.tif 000005
【図４】
2004227218.tif 000006
【図５】
2004227218.tif 000007
【図６】
2004227218.tif 000008
【図７】
2004227218.tif 000009
【図８】
2004227218.tif 000010
【図９】
2004227218.tif 000011
【図１０】
2004227218.tif 000012
【図１１】
2004227218.tif 000013
【図１２】
2004227218.tif 000014
【図１３】
2004227218.tif 000015
【図１４】
2004227218.tif 000016
【図１５】
2004227218.tif 000017
【図１６】
2004227218.tif 000018
【図１７】
2004227218.tif 000019
【図１８】
2004227218.tif 000020
【図１９】
2004227218.tif 000021
【図２０】
2004227218.tif 000022
【図２１】
2004227218.tif 000023
【図２２】
2004227218.tif 000024
【図２３】
2004227218.tif 000025
【図２４】
2004227218.tif 000026
【図２５】
2004227218.tif 000027
【図２６】
2004227218.tif 000028
【図２７】
2004227218.tif 000029
【図２８】
2004227218.tif 000030
【図２９】
2004227218.tif 000031
【図３０】
2004227218.tif 000032
【図３１】
2004227218.tif 000033
【図３２】
2004227218.tif 000034
【図３３】
2004227218.tif 000035
【図３４】
2004227218.tif 000036
【図３５】
2004227218.tif 000037
【図３６】
2004227218.tif 000038
【図３７】
2004227218.tif 000039
【図３８】
2004227218.tif 000040
【図３９】
2004227218.tif 000041
【図４０】
2004227218.tif 000042
【図４１】
2004227218.tif 000043
【図４２】
2004227218.tif 000044
【図４３】
2004227218.tif 000045
【図４４】
2004227218.tif 000046
【図４５】
2004227218.tif 000047
【図４６】
2004227218.tif 000048
【図４７】
2004227218.tif 000049
【図４８】
2004227218.tif 000050
【図４９】
2004227218.tif 000051
【図５０】
2004227218.tif 000052
【図５１】
2004227218.tif 000053
【図５２】
2004227218.tif 000054
【図５３】
2004227218.tif 000055
【図５４】
2004227218.tif 000056
【図５５】
2004227218.tif 000057
【図５６】
2004227218.tif 000058
【図５７】
2004227218.tif 000059
【図５８】
2004227218.tif 000060
【図５９】
2004227218.tif 000061
【図６０】
2004227218.tif 000062
【図６１】
2004227218.tif 000063
【図６２】
2004227218.tif 000064
【図６３】
2004227218.tif 000065
【図６４】
2004227218.tif 000066
【図６５】
2004227218.tif 000067
【図６６】
2004227218.tif 000068
【図６７】
2004227218.tif 000069
【図６８】
2004227218.tif 000070
【図６９】
2004227218.tif 000071
【図７０】
2004227218.tif 000072
【図７１】
2004227218.tif 000073
【図７２】
2004227218.tif 000074
【図７３】
2004227218.tif 000075
【図７４】
2004227218.tif 000076
【図７５】
2004227218.tif 000077
【図７６】
2004227218.tif 000078
【図７７】
2004227218.tif 000079
【図７８】
2004227218.tif 000080
【図７９】
2004227218.tif 000081
【図８０】
2004227218.tif 000082
【図８１】
2004227218.tif 000083
【図８２】
2004227218.tif 000084
【図８３】
2004227218.tif 000085
【図８４】
2004227218.tif 000086
【図８５】
2004227218.tif 000087
【図８６】
2004227218.tif 000088
【図８７】
2004227218.tif 000089
【図８８】
2004227218.tif 000090
【図８９】
2004227218.tif 000091
【図９０】
2004227218.tif 000092
【図９１】
2004227218.tif 000093
【図９２】
2004227218.tif 000094
【図９３】
2004227218.tif 000095
【図９４】
2004227218.tif 000096
【図９５】
2004227218.tif 000097
【図９６】
2004227218.tif 000098
【図９７】
2004227218.tif 000099
【図９８】
2004227218.tif 000100
【図９９】
2004227218.tif 000101
【図１００】
2004227218.tif 000102
【図１０１】
2004227218.tif 000103
【図１０２】
2004227218.tif 000104
【図１０３】
2004227218.tif 000105
【図１０４】
2004227218.tif 000106
【図１０５】
2004227218.tif 000107
【図１０６】
2004227218.tif 000108
【図１０７】
2004227218.tif 000109
【図１０８】
2004227218.tif 000110
【図１０９】
2004227218.tif 000111
【図１１０】
2004227218.tif 000112
【図１１１】
2004227218.tif 000113
【図１１２】
2004227218.tif 000114
【図１１３】
2004227218.tif 000115
【図１１４】
2004227218.tif 000116
【図１１５】
2004227218.tif 000117
【図１１６】
2004227218.tif 000118
【図１１７】
2004227218.tif 000119
【図１１８】
2004227218.tif 000120
【図１１９】
2004227218.tif 000121
【図１２０】
2004227218.tif 000122
【図１２１】
2004227218.tif 000123
【図１２２】
2004227218.tif 000124
【図１２３】
2004227218.tif 000125